(57)【要約】【課題】吊りワイヤの玉掛けを安全且つ容易に行うことができると共に油溝カバーの損傷を招来することのないスタンブッシュの吊りワイヤ玉掛け装置を提供する。【解決手段】玉掛け装置１０は、装着ワイヤ１１に油溝１Ｂと対応する４個ワイヤガイド２０が固定されると共に、装着ワイヤ１１の一方の先端にターンバックル３０が係合装着されて構成され、各ワイヤガイド２０を油溝１Ｂにそれぞれ対応させてスタンブッシュ１の本体部１Ａに卷回し、装着ワイヤ１１の両端の係合環１１Ａにそれぞれターンバックル３０の両端のフック３１を係合させて締め込んで装着し、ワイヤガイド２０で吊りワイヤ２を案内する。【選択図】              図２
2004161395.tif 000002
【特許請求の範囲】
【請求項１】
外周面に形成された油溝に油溝カバーが装着されて成るスタンブッシュに吊り上げワイヤを玉掛けするものであって、
前記油溝を略直角に跨いで前記外周面に載置し得る脚部を有する案内部材が連結部材によって前記油溝と対応する数連結されて列状を呈すると共に、その両端部を結合する結合機構を備え、前記スタンブッシュに前記案内部材を前記油溝に対応させて卷回装着され、前記案内部材によって前記吊りワイヤの配索経路を案内するように構成されていることを特徴とするスタンブッシュの吊りワイヤ玉掛け装置。
【発明の詳細な説明】
【０００１】
【発明の属する技術分野】
本発明は、船舶においてプロペラシャフトが貫通する船尾管に設けられるスタンブッシュを搬送する際に吊りワイヤを玉掛けするための吊りワイヤ玉掛け装置に関する。
【０００２】
【従来の技術】
船舶においてプロペラシャフトが貫通する船尾管に設けられるスタンブッシュは、プロペラシャフトと調芯されて設置される必要があり、そのための工法として船尾管との間にレジンを介して設置するレジン工法が知られている。
【０００３】
このようなレジン工法によって据え付けられるスタンブッシュは、図４にその一例の斜視図を示すように、一端に大径のフランジ部を備える円筒状本体部１Ａの外周面に、軸方向に延びる断面形状角形の油溝１Ｂを周方向に複数条（図は４条）を備えて形成されている。
【０００４】
油溝１Ｂは、船尾管内に嵌合配設された状態で冷却オイルが流通するスタンブッシュの長手方向に連通する流路を形成するためのものであり、設置時にレジンが侵入して埋没してしまうことを防ぐために断面形状コ字状の油溝カバー１Ｃが嵌合配設されて両端部で溶接固定されると共に隙間にシリコングリスが充填され、更に上面にスポンジを介してアルミニウムテープ等が貼付されてシールされる。
【０００５】
上記のごとく油溝カバー１Ｃが装着されたスタンブッシュ１の搬送は、正面図である図５に示すように本体部１Ｂの周囲に卷回した吊りワイヤ２を介してクレーン等によって吊り上げることによって行われているが、その際、吊りワイヤ２によって油溝カバーやシールを傷つけることがないように吊りワイヤ２とスタンブッシュ１（本体部１Ａ）の外周面の間に木片等による介装材３を介装させていた。
【０００６】
尚、船舶の機構部品を船体から搬出する方法としては特許文献１及び２に開示のものがあり、また、クレーン等によって部品を吊り下げる装置としては特許文献３に開示のものがある。
【０００７】
【特許文献１】
特開平７−０１００７２
【特許文献２】
特開平７−０１００７３
【特許文献３】
特開２０００−１２８４５８
【０００８】
【発明が解決しようとする課題】
しかしながら、上記のごとき従来のスタンブッシュ１の搬送構成では、介装材３を挟み込ませる作業は吊りワイヤ２の吊り上げによる絞りに合わせて行わなければならないために一人では困難であると共に手や指を挟む恐れもあって危険でもあり、また、介装材３が吊りワイヤ２の緩みによって外れたり破損や圧縮変形したりして油溝カバーやシールを傷付けてしまうという問題があった。
【０００９】
本発明は、上記問題に鑑みてなされたものであって、吊りワイヤの玉掛けを安全且つ容易に行うことができると共に油溝カバーの損傷を招来することのないスタンブッシュの吊りワイヤ玉掛け装置を提供することを目的とする。
【００１０】
【課題を解決するための手段】
上記目的を達成する本発明に係るスタンブッシュの吊りワイヤ玉掛け装置は、外周面に形成された油溝に油溝カバーが装着されて成るスタンブッシュにおいて、前記油溝を略直角に跨いで前記外周面に載置し得る脚部を有する案内部材が連結部材によって前記油溝と対応する数連結されて列状を呈すると共に、その両端部を結合する結合機構を備え、前記スタンブッシュに前記案内部材を前記油溝に対応させて卷回装着され、前記案内部材によって前記吊りワイヤの配索経路を案内するように構成されていることを特徴とする。
【００１１】
【発明の実施の形態】
以下、添付図面を参照して本発明の実施の形態について説明する。
図１は本発明に係るスタンブッシュの吊りワイヤ玉掛け装置の一構成例を示し、（Ａ）は平面図，（Ｂ）は正面図である。また、図２はスタンブッシュへの装着状態を示し、（Ａ）は側面図，（Ｂ）は正面図である。
【００１２】
図示玉掛け装置１０は、吊り上げ対象（装着対象）のスタンブッシュ１の本体部１Ａに卷回し得る長さの二本の連結部材としての装着ワイヤ１１に、油溝１Ｂと対応する数（本構成例では４個）の案内部材としてのワイヤガイド２０が所定間隔で固定されると共に、装着ワイヤ１１の一方の先端に結合機構としてのターンバックル３０が係合装着されて構成されている。
【００１３】
装着ワイヤ１１は、両端部にターンバックル３０のフック３１が係合し得る環状の係合環１１Ａを備えている。
【００１４】
ワイヤガイド２０は、図３（Ａ）に平面図，（Ｂ）に正面図，（Ｃ）に側面図を示すように、矩形の基板部２１Ａの両長辺に側板部２１Ｂが垂立した凹状断面のガイド２１の前後両端の下面に、短辺に沿って丸棒が溶接固定されて成る所定高さの脚部２２を備えて形成されている。ガイド２１の長さは、脚部２２をスタンブッシュ１の周面に当接させて油溝１Ｂを跨ぎ得る（油溝１Ｂに装着された油溝カバーやシールに当接することなくスタンブッシュ１の周面に設置し得る）ように設定され、また、その幅は、左右両側板部２１Ｂの間に吊りワイヤ２（図２中に示す）が余裕を持って配索し得るように設定されている。
【００１５】
このワイヤガイド２０は、側板部２１Ｂをその内面側から外面側に貫通して締着されたＵボルト１２によって装着ワイヤ１１に固定されている。即ち、Ｕボルト１２と側板部２１Ｂの内面との間に装着ワイヤ１１を挟むことによって固定されているものである。装着ワイヤ１１への各ワイヤガイド２０の配設間隔は、油溝１Ｂの周方向配設間隔と等しく（つまり当該玉掛け装置１０をスタンブッシュ１の本体部１Ａに卷回した際に各ワイヤガイド２０がそれぞれ油溝１Ｂと対応するように）設定されている。
【００１６】
上記のごとく構成された玉掛け装置１０は、図２示すように各ワイヤガイド２０を油溝１Ｂにそれぞれ対応させてスタンブッシュ１の本体部１Ａに卷回し、装着ワイヤ１１の両端の係合環１１Ａにそれぞれターンバックル３０の両端のフック３１を係合させて締め込んで装着する。この装着時、ワイヤガイド２０はその脚部２２が本体部１Ａの周面に当接して油溝カバーやシールに当接することなく油溝１Ｂ跨いで位置する。そして、このように装着された玉掛け装置１０のワイヤガイド２０のガイド２１の側板部２１Ｂの間で、吊りワイヤ２の配索経路を案内する。これにより、吊りワイヤ２で油溝カバーやシールに傷を付けることなく、吊りワイヤ２によってスタンブッシュ１を容易且つ安全に吊り上げることができるものである。
【００１７】
尚、本発明は上記構成例に限定されるものではなく、案内部材の構成やその連結構成及び結合機構の構成等適宜変更可能なものである。
【００１８】
【発明の効果】
以上述べたように、本発明によるスタンブッシュの吊りワイヤ玉掛け装置によれば、油溝を略直角に跨いで外周面に載置し得る脚部を有する案内部材が連結部材によって油溝と対応する数連結されて列状を呈すると共に、その両端部を結合する結合機構を備え、スタンブッシュに案内部材を油溝に対応させて卷回装着され、案内部材によって吊りワイヤの配索経路を案内するように構成されていることにより、油溝を跨ぐ案内部材に吊りワイヤを配索して吊り上げることができ、これによって吊りワイヤで油溝カバーやシールに傷を付けることなく容易且つ安全にスタンブッシュを吊り上げることができるものである。
【図面の簡単な説明】
【図１】本発明に係るスタンブッシュの吊りワイヤ玉掛け装置の一構成例を示し、（Ａ）は平面図，（Ｂ）は正面図である。
【図２】スタンブッシュへの装着状態を示し、（Ａ）は側面図，（Ｂ）は正面図である。
【図３】ワイヤガイドを示し、（Ａ）は平面図，（Ｂ）は正面図，（Ｃ）は側面図である。
【図４】スタンブッシュの一例の斜視図である。
【図５】従来例としてのスタンブッシュの吊り上げ構成の説明図である。
【符号の説明】
１  スタンブッシュ
２  吊りワイヤ
１Ｂ  油溝
１０  玉掛け装置
１１  装着ワイヤ（連結部材）
２０  ワイヤガイド（案内部材）
２２  脚部
３０  ターンバックル（結合機構）
【図１】
2004161395.tif 000003
【図２】
2004161395.tif 000004
【図３】
2004161395.tif 000005
【図４】
2004161395.tif 000006
【図５】
2004161395.tif 000007